(57)【要約】【課題】パワーコンディショナの起動の可否の判定の精度を向上させる。【解決手段】パワーコンディショナは、電源から出力される電圧が基準電圧以上になったことに対応して、遮断部を介してインバータと系統電源または負荷との間を電気的に遮断した状態で、制御部によりインバータを動作させて、電源から起動可能電力が得られるか否かを判定する起動判定部と、起動判定部が電源から起動可能電力が得られると判定したことに対応して、遮断部を介してインバータと負荷または系統電源との間を電気的に接続する遮断制御部とを備える。【選択図】図１
2014180182.tif 000002
【特許請求の範囲】
【請求項１】
電源からの電圧を昇圧する昇圧回路と、
前記昇圧回路から出力される直流を交流に変換し、負荷または系統電源に出力するインバータと、
前記インバータと前記系統電源または前記負荷との間を電気的に遮断するか否かを切り替える遮断部と、
前記昇圧回路および前記インバータの動作を制御する制御部と、
前記電源から出力される電圧が基準電圧以上になったことに対応して、前記遮断部を介して前記インバータと前記系統電源または前記負荷との間を電気的に遮断した状態で、前記制御部により前記インバータを動作させて、前記電源から起動可能電力が得られるか否かを判定する起動判定部と、
前記起動判定部が前記電源から前記起動可能電力が得られると判定したことに対応して、前記遮断部を介して前記インバータと前記負荷または前記系統電源との間を電気的に接続する遮断制御部と
を備えるパワーコンディショナ。
【請求項２】
前記起動判定部は、前記昇圧回路から出力される電圧が前記基準電圧より高い上限電圧より小さい場合、前記遮断部を介して前記インバータと前記系統電源または前記負荷との間を電気的に遮断した状態で、前記制御部により前記インバータおよび前記昇圧回路を動作させて、前記電源から起動可能電力が得られるか否かを判定する、請求項１に記載のパワーコンディショナ。
【請求項３】
前記起動判定部は、前記昇圧回路から出力される電力が基準電力に達したときの前記昇圧回路から出力される電圧が起動可能電圧以上の場合に、前記電源から前記起動可能電力が得られると判定する、請求項１または請求項２に記載のパワーコンディショナ。
【請求項４】
電源からの電圧を昇圧する昇圧回路と、前記昇圧回路から出力される直流を交流に変換し、負荷または系統電源に出力するインバータと、前記インバータと前記系統電源または前記負荷との間を電気的に遮断するか否かを切り替える遮断部とを備えるパワーコンディショナの起動判定を行う制御装置としてコンピュータを機能させるためのプログラムであって、
前記昇圧回路および前記インバータの動作を制御する制御部と、
前記電源から出力される電圧が基準電圧以上になったことに対応して、前記遮断部を介して前記インバータと前記系統電源または前記負荷との間を電気的に遮断した状態で、前記制御部により前記インバータを動作させて、前記電源から起動可能電力が得られるか否かを判定する起動判定部と、
前記起動判定部が前記電源から前記起動可能電力が得られると判定したことに対応して、前記遮断部を介して前記インバータと前記負荷または前記系統電源との間を電気的に接続する遮断制御部と
して、前記コンピュータを機能させるためのプログラム。
【発明の詳細な説明】
【技術分野】
【０００１】
本発明は、パワーコンディショナおよびプログラムに関する。
【背景技術】
【０００２】
特許文献１には、コンバータに入力された入力電力とコンデンサに蓄積された電圧とに基づき推定された太陽電池モジュールの最大電力推定値を起動判定値と比較し、比較結果に基づいてパワーコンディショナの起動の可否を判定する太陽光発電システムが開示されている。
特許文献１  特開２００９−２４７１８４号公報
【発明の概要】
【発明が解決しようとする課題】
【０００３】
近年、パワーコンディショナに接続される太陽電池モジュールの種類が増加し、様々な仕様の太陽電池モジュールがパワーコンディショナに接続される可能性がある。これに伴い、太陽電池モジュールの電力を推定する精度が低下し、パワーコンディショナの起動の可否の判定の精度が低下する場合がある。そこで、パワーコンディショナの起動の可否の判定の精度を向上させることが望まれている。
【課題を解決するための手段】
【０００４】
本発明の一態様に係るパワーコンディショナは、電源からの電圧を昇圧する昇圧回路と、昇圧回路から出力される直流を交流に変換し、負荷または系統電源に出力するインバータと、インバータと系統電源または負荷との間を電気的に遮断するか否かを切り替える遮断部と、インバータの動作を制御する制御部と、電源から出力される電圧が基準電圧以上になったことに対応して、遮断部を介してインバータと系統電源または負荷との間を電気的に遮断した状態で、制御部により昇圧回路およびインバータを動作させて、電源から起動可能電力が得られるか否かを判定する起動判定部と、起動判定部が電源から起動可能電力が得られると判定したことに対応して、遮断部を介してインバータと負荷または系統電源との間を電気的に接続する遮断制御部とを備える。
【０００５】
上記パワーコンディショナにおいて、起動判定部は、昇圧回路から出力される電圧が基準電圧より高い上限電圧より小さい場合、遮断部を介してインバータと系統電源または負荷との間を電気的に遮断した状態で、制御部によりインバータおよび昇圧回路を動作させて、電源から起動可能電力が得られるか否かを判定してもよい。
【０００６】
上記パワーコンディショナにおいて、起動判定部は、昇圧回路から出力される電力が基準電力に達したときの昇圧回路から出力される電圧が起動可能電圧以上の場合に、電源から起動可能電力が得られると判定してもよい。
【０００７】
本発明の一態様に係るプログラムは、電源からの電圧を昇圧する昇圧回路と、昇圧回路から出力される直流を交流に変換し、負荷または系統電源に出力するインバータと、インバータと系統電源または負荷との間を電気的に遮断するか否かを切り替える遮断部とを備えるパワーコンディショナの起動判定を行う制御装置としてコンピュータを機能させるためのプログラムであって、昇圧回路および前記インバータの動作を制御する制御部と、電源から出力される電圧が基準電圧以上になったことに対応して、遮断部を介してインバータと系統電源または負荷との間を電気的に遮断した状態で、制御部によりインバータを動作させて、電源から起動可能電力が得られるか否かを判定する起動判定部と、起動判定部が電源から起動可能電力が得られると判定したことに対応して、遮断部を介してインバータと負荷または系統電源との間を電気的に接続する遮断制御部として、コンピュータを機能させる。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係る太陽電池システムの全体構成の一例を示すシステム構成図である。
【図２】制御装置により行われる起動処理の手順の一例を示すフローチャートである。
【図３】本実施形態に係る制御装置の機能ブロックの一例を示す図である。
【図４】制御装置がパワーコンディショナの起動判定を行う手順を示すフローチャートである。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る太陽電池システムの全体構成の一例を示すシステム構成図を示す。太陽電池システムは、太陽電池アレイ２００と、パワーコンディショナ１０とを備える。太陽電池アレイ２００は、複数の太陽電池モジュールが直列に接続された複数の太陽電池ストリングが並列に接続されている。複数の太陽電池アレイ２００は、直流電圧を出力する電源の一例である。
【００１２】
パワーコンディショナ１０は、太陽電池アレイ２００から出力される直流電圧を昇圧し、昇圧された直流電圧を交流電圧に変換して、系統電源３００側に出力する。パワーコンディショナ１０は、コンデンサＣ１、昇圧回路２０、コンデンサＣ２、インバータ４０、コイルＬ２、コンデンサＣ３、リレー５０、供給電源６０、および制御装置１００を備える。
【００１３】
コンデンサＣ１の一端および他端は、太陽電池アレイ２００の正極端子および負極端子に電気的に接続され、太陽電池アレイ２００から出力される直流電圧を平滑化する。昇圧回路２０は、コイルＬ１、スイッチＴｒおよびダイオードＤ１を有する。昇圧回路２０は、いわゆるチョッパ方式スイッチングレギュレータでよい。昇圧回路２０は、太陽電池アレイ２００からの電圧を昇圧する。
【００１４】
スイッチＴｒは、例えば絶縁ゲートバイポーラトランジスタ（ＩＧＢＴ）でよい。コイルＬ１の一端は、コンデンサＣ１の一端に接続され、コイルＬ１の他端は、スイッチＴｒのコレクタに接続される。スイッチＴｒのコレクタは、ダイオードＤ１のアノードに接続され、スイッチＴｒのエミッタは、コンデンサＣ１の他端に接続される。コイルＬ１は、スイッチＴｒがオン期間中に太陽電池アレイ２００からの電力に基づくエネルギーを蓄積し、スイッチＴｒがオフ期間中に蓄積されたエネルギーを放出する。これにより、昇圧回路２０は、太陽電池アレイ２００からの直流電圧を昇圧する。ダイオードＤ１は、コイルＬ１からの出力を整流する。また、ダイオードＤ１は、昇圧された直流電圧が昇圧回路２０の出力側から入力側に流れることを防止する。
【００１５】
なお、昇圧回路２０は、上記の構成には限定されず、例えば、ハーフブリッジ型昇圧回路、フルブリッジ型昇圧回路などのトランス巻線を有する絶縁型昇圧回路により構成してもよい。
【００１６】
コンデンサＣ２は、昇圧回路２０から出力される直流電圧を平滑化する。インバータ４０は、スイッチを含み、スイッチがオンオフすることで昇圧回路２０から出力された直流電圧を交流電圧に変換、系統電源３００または負荷３１０に出力する。インバータ４０は、例えば、ブリッジ接続された４つの半導体スイッチを含む単相フルブリッジＰＷＭインバータにより構成してもよい。４つの半導体スイッチのうち、一方の一対の半導体スイッチは直列に接続される。４つの半導体スイッチのうち、他方の一対の半導体スイッチは、直列に接続され、かつ一方の一対の半導体スイッチと並列に接続される。
【００１７】
インバータ４０と系統電源３００との間には、コイルＬ２およびコンデンサＣ３が設けられる。コイルＬ２およびコンデンサＣ３は、インバータ４０から出力された交流電圧からノイズを除去する。また、コンデンサＣ３と系統電源３００との間には、リレー５０が設けられる。リレー５０は、インバータ４０と系統電源３００または負荷３１０との間を電気的に遮断するか否かを切り替える。リレー５０がオンすることで、パワーコンディショナ１０と系統電源３００または負荷３１０とが電気的に接続され、オフすることでパワーコンディショナ１０と系統電源３００または負荷３１０とが電気的に遮断される。リレー５０は、遮断部の一例である。
【００１８】
供給電源６０は、例えば、電源ＩＣチップにより構成される。供給電源６０は、昇圧回路２０の出力側に接続され、昇圧回路２０から取り出される直流電圧から、制御装置１００に供給する予め定められた電圧を示す電力を生成し、生成された電力を制御装置１００に供給する。供給電源６０は、昇圧回路２０のスイッチＴｒがオフ状態において、昇圧回路２０からの出力電圧が、基準電圧に達すると起動する。起動後、供給電源６０は、昇圧回路２０から出力される電力を利用して制御装置１００が駆動するための駆動電力を生成し、制御装置１００に供給する。なお、供給電源６０は、系統電源３００からの電力を直接利用して、制御装置１００に供給する電力を生成してもよい。
【００１９】
制御装置１００は、太陽電池アレイ２００から最大電力が得られるように、昇圧回路２０のスイッチング動作を制御して、太陽電池アレイ２００から出力される直流電圧を昇圧し、昇圧された直流電圧を交流電圧に変換して、系統電源３００側に出力する。
【００２０】
パワーコンディショナ１０は、電圧センサ１２および１６、電流センサ１４および１８をさらに備える。電圧センサ１２は、太陽電池アレイ２００の両端の電位差に対応する電圧Ｖｉｎを検知する。電圧センサ１６は、昇圧回路２０の出力側の両端の電位差に対応する電圧Ｖｏｕｔを検知する。電流センサ１４は、太陽電池アレイ２００から出力され、昇圧回路２０の入力側に流れる電流Ｉｉｎを検知する。電流センサ１８は、昇圧回路２０から出力される電流Ｉｏｕｔを検知する。
【００２１】
図２は、制御装置１００が起動時に実行される処理手順の一例を示すフローチャートである。
【００２２】
昇圧回路２０、インバータ４０、供給電源６０、および制御装置１００が停止状態において、太陽電池アレイ２００から入力され、昇圧回路２０から出力される出力電圧Ｖｏｕｔが基準電圧Ｖｔｈ１以上になったことに対応して（Ｓ１０）、供給電源６０が起動する。供給電源６０は、太陽電池アレイ２００からの電力を利用して、制御装置１００を駆動するための駆動電力を生成する。制御装置１００は、供給電源６０からの電力を受けて、起動する（Ｓ１２）。
【００２３】
制御装置１００は、リレー５０を介してインバータ４０と系統電源３００または負荷３１０との間を電気的に遮断した状態で、昇圧回路２０の動作を開始する（Ｓ１４）。制御装置１００は、昇圧回路２０に入力される入力電圧を変化させた場合の昇圧回路２０から出力される電力の変化量などをパラメータとして、昇圧回路２０から出力可能な電力Ｗａを推定する（Ｓ１６）。
【００２４】
次いで、制御装置１００は、電力Ｗａが、制御装置１００、昇圧回路２０およびインバータ４０を動作させるのに必要な電力Ｗｔ以上か否かを判定する（Ｓ１８）。電圧Ｗａが電力Ｗｔより小さい場合には、太陽電池アレイ２００から得られる電力が、パワーコンディショナ１０を起動するのに必要な電力を満たさないと判断して、制御装置１００は、昇圧回路２０の動作を停止し（Ｓ２０）、予め定められた待機期間が経過すると（Ｓ２２）、改めて昇圧回路２０の動作を開始させる。
【００２５】
一方、制御装置１００は、推定された電力Ｗａが電力Ｗｔ以上であると判定した場合、リレー５０をオンして（Ｓ２４）、インバータ４０の動作を開始し、系統電源３００との系統連系を開始させる（Ｓ２６）。
【００２６】
以上の処理手順によれば、制御装置１００は、推定された電力が、制御装置１００、昇圧回路２０およびインバータ４０を動作させることが可能な電力を満たしていると推定できた場合に、リレー５０をオンして、インバータ４０を動作させる。この場合、推定された電力の精度が不十分であると、太陽電池アレイから得られる実際の電力が不十分で、太陽電池アレイから得られる電力によりインバータ４０を動作させることができない場合がある。この場合、制御装置１００が、ステップＳ２６の処理の後に、昇圧回路２０およびインバータ４０の動作を停止し、リレー５０を一旦オフする。そして、制御装置１００は、改めて昇圧回路２０の動作を開始して、電力の推定をやり直すことになる。つまり、パワーコンディショナ１０が起動する場合に、電力の推定を繰り返すことで、リレー５０のオンオフが繰り返されてしまう場合がある。また、パワーコンディショナ１０に接続される太陽電池アレイの種類によって、得られる電力が変わる場合があるので、パワーコンディショナ１０に接続可能な太陽電池アレイの種類が多いと、制御装置１００が精度よく電力の推定を行うことはさらに困難になる。
【００２７】
そこで、本実施形態によれば、制御装置１００は、リレー５０をオフした状態で、昇圧回路２０に加えて、インバータ４０を動作させた場合に、昇圧回路２０から出力される電力に基づいて、太陽電池アレイ２００から、パワーコンディショナ１０を起動するために最低限必要な電力に対応する起動可能電力が得られているか否かを判定する。これにより、パワーコンディショナ１０の起動判定の精度を向上させることができる。また、パワーコンディショナ１０が起動する場合に、電力の推定を繰り返すことで、リレー５０のオンオフが繰り返されることを防止できる。よって、リレー５０のオンオフに伴い発生する動作音の発生の頻度を低減できる。また、リレー５０のオンオフに伴うリレー５０の劣化の進行を抑制できる。
【００２８】
図３は、本実施形態に係る制御装置１００の機能ブロックの一例を示す。制御装置１００は、制御部１０２、リレー制御部１０４、および起動判定部１０６を備える。制御部１０２は、昇圧回路２０およびインバータ４０の動作を制御する。制御部１０２は、昇圧回路２０が備えるスイッチＴｒをＰＷＭ制御に基づきオンオフすることで、昇圧比を制御し、太陽電池アレイ２００から極大または最大となる電力が得られるように、昇圧回路２０の入力電圧Ｖｉｎを制御する。制御部１０２は、インバータ４０が備える各スイッチをＰＷＭ制御に基づきオンオフすることで、インバータ４０の入力電圧を制御し、昇圧回路２０から出力される直流を、系統電源３００の電圧に同期させた交流に変換する。
【００２９】
リレー制御部１０４は、リレー５０をオンオフすることで、インバータ４０と系統電源３００または負荷３１０との間を電気的に接続または遮断させる。起動判定部１０６は、太陽電池アレイ２００から出力される電圧が基準電圧Ｖｔｈ１以上になったことに対応して、リレー５０を介してインバータ４０と系統電源３００または負荷３１０との間を電気的に遮断した状態で、制御部１０２により昇圧回路２０およびインバータ４０を動作させる。
【００３０】
また、起動判定部１０６は、昇圧回路２０およびインバータ４０が動作した状態で、太陽電池アレイ２００から起動可能電力が得られるか否かを判定する。起動判定部１０６は、昇圧回路２０から出力される電力が基準電力Ｗｔｈに達したときの昇圧回路２０から出力される電圧が起動可能電圧Ｖｔｈ３以上の場合に、太陽電池アレイ２００から起動可能電力が得られると判定してもよい（図３のステップＳ１１０）。
【００３１】
制御部１０２がリレー５０をオフした状態でインバータ４０を動作させる目的は、起動判定部１０６が、太陽電池アレイ２００から制御装置１００および昇圧回路２０に加えて、インバータ４０を起動するのに必要な電力が得られるか否かをより正確に判定することにある。したがって、制御部１０２は、任意の条件で、インバータ４０の各スイッチを制御して、インバータ４０を動作させてもよい。制御部１０２は、例えば、インバータ４０の各スイッチをデューティ比５０％で制御することで、インバータ４０を動作させてもよい。インバータ４０の各スイッチをデューティ比５０％で制御することで、制御装置１００の処理負担を低減できる。
【００３２】
リレー制御部１０４は、起動判定部１０６が太陽電池アレイ２００から起動可能電力が得られると判定したことに対応して、リレー５０を介してインバータ４０と系統電源３００または負荷３１０との間を電気的に接続する。
【００３３】
ここで、太陽電池アレイ２００から出力される電圧が高いと、昇圧回路２０を動作させた場合に、昇圧回路２０から出力される電圧が高すぎる場合がある。この場合、昇圧回路２０の出力側に設けられているコンデンサＣ２などの素子に悪影響を与える可能性がある。
【００３４】
そこで、昇圧回路２０の昇圧動作を停止した状態で、昇圧回路２０から出力される電圧が、基準電圧Ｖｔｈ１より高い上限電圧Ｖｔｈ２以上の場合、起動判定部１０６は、リレー５０を介してインバータ４０と系統電源３００または負荷３１０との間を電気的に遮断した状態で、制御部１０２によりインバータ４０を動作させてもよい（図３のステップ１０４およびステップＳ１０８）。そして、起動判定部１０６は、昇圧回路２０の昇圧動作を停止させ、かつインバータ４０のスイッチのオンオフ動作をさせた状態で、太陽電池アレイ２００から起動可能電力が得られるか否かを判定してもよい（図３のステップＳ１１０）。つまり、起動判定部１０６は、昇圧回路２０から出力される電圧が、基準電圧Ｖｔｈ１より高い上限電圧Ｖｔｈ２以上の場合、昇圧回路２０の昇圧動作を停止させ、インバータ４０のスイッチのオンオフ動作のみをさせて、太陽電池アレイ２００から起動可能電力が得られるか否かを判定してもよい。
【００３５】
図４は、制御装置１００がパワーコンディショナ１０の起動判定を行う手順を示すフローチャートを示す。
【００３６】
昇圧回路２０、インバータ４０、供給電源６０、および制御装置１００が停止状態において、太陽電池アレイ２００から入力され、昇圧回路２０から出力される出力電圧Ｖｏｕｔが基準電圧Ｖｔｈ１以上になったことに対応して、供給電源６０が起動する。供給電源６０は、太陽電池アレイ２００からの電力を利用して、制御装置１００を駆動するための駆動電力を生成する。制御装置１００は、供給電源６０からの電力を受けて、起動する（Ｓ１０２）。
【００３７】
制御装置１００が起動すると、起動判定部１０６は、昇圧回路２０の出力電圧Ｖｏｕｔが上限電圧Ｖｔｈ２以上か否かを判定する（Ｓ１０４）。出力電圧Ｖｏｕｔが上限電圧Ｖｔｈ２より小さい場合、起動判定部１０６は、リレー５０を介してインバータ４０と系統電源３００または負荷３１０との間を電気的に遮断した状態で、制御部１０２により昇圧回路２０およびインバータ４０の動作を開始する（Ｓ１０６）。制御部１０２は、昇圧回路２０およびインバータ４０がそれぞれ備える各スイッチのオンオフ動作を開始してもよい。
【００３８】
次いで、起動判定部１０６は、昇圧回路２０から出力される電圧Ｖｏｕｔおよび電流Ｉｏｕｔに基づいて昇圧回路２０から出力される電力Ｗｏｕｔを算出する。起動判定部１０６は、電力Ｗｏｕｔが基準電力Ｗｔｈに達したときの昇圧回路の出力電圧Ｖｏｕｔが起動可能電圧Ｖｔｈ３以上か否かを判定する（Ｓ１１０）。出力電圧Ｖｏｕｔが起動可能電圧Ｖｔｈ３以上の場合には、起動判定部１０６は、太陽電池アレイ２００から起動可能電力が得られると判断して、制御部１０２は、インバータ４０の動作を一旦停止し（Ｓ１１２）、リレー制御部１０４は、リレー５０をオンする（Ｓ１１４）。リレー制御部１０４がリレー５０をオンした後、制御部１０２は、再度インバータ４０の動作を開始する（Ｓ１１６）。なお、パワーコンディショナ１０が系統電源３００と連系しない場合には、制御部１０２は、リレー５０をオンする前に、一旦インバータ４０を停止させなくてもよい。
【００３９】
一方、出力電圧Ｖｏｕｔが上限電圧Ｖｔｈ２以上の場合には、起動判定部１０６は、リレー５０を介してインバータ４０と系統電源３００または負荷３１０との間を電気的に遮断した状態で、かつ昇圧回路２０を停止させた状態で、制御部１０２によりインバータ４０の動作を開始させる（Ｓ１０８）。次いで、起動判定部１０６は、電力Ｗｏｕｔが基準電力Ｗｔｈに達したときの昇圧回路の出力電圧Ｖｏｕｔが起動可能電圧Ｖｔｈ３以上か否かを判定する（Ｓ１１０）。
【００４０】
出力電圧Ｖｏｕｔが起動可能電圧Ｖｔｈ３より小さい場合には、起動判定部１０６は、制御部１０２により昇圧回路２０およびインバータ４０の動作、またはインバータ４０の動作を一旦停止させる（Ｓ１１８）。停止後、予め定められた待機期間が経過した場合（Ｓ１２０）、起動判定部１０６は、再びステップＳ１０４以降の処理を実行する。
【００４１】
以上のように、本実施形態によれば、パワーコンディショナ１０が起動判定を行う場合に、インバータ４０を動作させた状態で、太陽電池アレイ２００から出力される電力を推定し、推定された電力から起動判定ができる。したがって、パワーコンディショナ１０に接続される太陽電池アレイ２００の種類によらず、起動判定をより精度よく実行できる。よって、パワーコンディショナ１０が起動する場合に、電力の推定を繰り返すことで、リレー５０のオンオフが繰り返されることを防止できる。また、リレー５０のオンオフに伴い発生する動作音の頻度を少なくでき、リレー５０のオンオフに伴うリレー５０の劣化の進行を抑制できる。
【００４２】
なお、本実施形態に係る制御装置１００が備える各部は、パワーコンディショナ１０の起動判定に関する各種処理を行う、コンピュータ読み取り可能な記録媒体に記録されたプログラムをインストールし、このプログラムをコンピュータに実行させることで、構成してもよい。つまり、コンピュータにパワーコンディショナ１０の起動判定に関する各種処理を行うプログラムを実行させることにより、制御装置１００が備える各部としてコンピュータを機能させることで、制御装置１００を構成してもよい。
【００４３】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、制御装置１００として機能する。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４６】
１０  パワーコンディショナ
２０  昇圧回路
４０  インバータ
５０  リレー
６０  供給電源
１００  制御装置
１０２  制御部
１０４  リレー制御部
１０６  起動判定部
２００  太陽電池アレイ
３００  系統電源
３１０  負荷
【図１】
2014180182.tif 000003
【図２】
2014180182.tif 000004
【図３】
2014180182.tif 000005
【図４】
2014180182.tif 000006